(57)【要約】【課題】運転停止時に、吹出口シャッターの開閉を行い、ドラフト感を低減できる空気調和機を提供する。【解決手段】上側吹出口２２ａと下側吹出口２２ｂと、下側吹出口２２ｂを開閉するシャッター３０と、シャッター３０を駆動するシャッター駆動部と回転数を検出する回転数検出部とを備える。室内ファン８の回転数を検出する回転数検出部１１ａにより検出されたファン回転数がＮ１未満であればシャッター制御部１１ｂによりシャッター３０を開けて本体を停止する。【選択図】図３
2008261555.tif 000002
【特許請求の範囲】
【請求項１】
床置き型の空気調和機であって、送風用のファンと、前記ファンからの空気調和用の空気を吹き出す上側吹出口と下側吹出口と、前記下側吹出口を開閉するためのシャッターと、前記シャッターを駆動するシャッター駆動部と、前記ファンの回転数を制御するファン制御部と、前記シャッター駆動部を制御するシャッター制御部とを備え、運転停止信号発生時に前記シャッターが全閉位置にある場合、前記ファンの回転数が所定回転数以下であるときは、開閉動作を行うように、前記シャッター制御部により前記シャッター駆動部を制御することを特徴とする空気調和機。
【請求項２】
暖房運転時からの運転停止時にシャッターの全閉位置にある場合、空気調和機熱交換器の配管温度が所定温度以上であるときは、開動作を行うように前記シャッター制御部により前記シャッター駆動部を制御し、配管温度が所定温度より低いときは、ファンの回転数が所定回転数以下になったときに開動作を行うように、前記シャッター制御部により前記シャッター駆動部を制御することを特徴とする請求項１に記載の空気調和機。
【発明の詳細な説明】
【技術分野】
【０００１】
この発明は、空気調和機に関する。
【背景技術】
【０００２】
従来、空気調和機は、運転停止時に吹出口は閉塞される（例えば、特許文献１参照）。それは、吹出口を開いたままでは空気調和機を停止したときに、居住空間の使用者はドラフト感を感じやすくなるという問題があるからである。
【特許文献１】特開平１１−２７３１０４号公報
【発明の開示】
【発明が解決しようとする課題】
【０００３】
ところが、従来の空気調和機では、床置きされた場合、異物が入った場合に取り出せなくなるという問題がある。
【０００４】
そこで、この発明の課題は、運転停止時に吹出口の開閉を行い、ドラフト感を低減できる空気調和機を提供することにある。
【課題を解決するための手段】
【０００５】
課題を解決するため、この発明の空気調和機は、床置き型の空気調和機であって、送風用のファンと、前記ファンからの空気調和用の空気を吹き出す吹出口は、少なくとも上側吹出口と下側吹出口であり、前記下側吹出口を開閉するためのシャッターと、前記シャッターを駆動するシャッター駆動部と、前記ファンの回転数を制御するファン制御部と、前記シャッター駆動部を制御するシャッター制御部とを備え、運転停止時に、前記シャッターの全閉位置にある場合、前記ファンの回転数が所定回転数以下であるときは、開閉動作を行うように、前記シャッター制御部により前記シャッター駆動部を制御する制御部を備えたことを特徴とする。
【０００６】
また、一実施形態の空気調和機では、暖房運転時からの運転停止時にシャッターの全閉位置にある場合、空気調和機熱交換器の配管温度が、所定温度以上であるときは開動作を行うように、前記シャッター制御部により前記シャッター駆動部を制御し、配管温度が、所定温度より低いときはファンの回転数により、ファンの回転数が所定回転数以下になったときに、開動作を行うように、前記シャッター制御部により前記シャッター駆動部を制御することを特徴とする。
【０００７】
上記構成の空気調和機によれば、運転停止時において複数の吹出口から風を吹き出しているとき、かつ、シャッターにより複数の吹出口の少なくとも１つを閉じているとき、ファンの回転数が一定以下になったときに制御部は、シャッター駆動部を制御して、シャッターを開く。これによって、異物噛み込みした場合でもシャッターが開いているので取り出せ、ドラフト感を低減できる。
【発明の効果】
【０００８】
この発明の空気調和機によれば、運転停止時において複数の吹出口から風を吹き出しているとき、かつ、シャッターにより複数の吹出口の少なくとも１つを閉じているとき、ファンの回転数が一定以下になったときに制御部は、シャッター駆動部を制御して、シャッターを開く。これによって、異物噛み込みした場合でもシャッターが開いているので取り出せ、ドラフト感を低減できる。
【０００９】
また、一実施形態の空気調和機によれば、暖房運転からの運転停止時に、室内熱交換器温度が高い状態ではシャッター動作により下側吹出口を開き、室内熱交換器温度が低い時はファンの回転数が一定値以下になったときに開くことで、下側吹出口からのドラフト感を低減することができる。
【発明を実施するための最良の形態】
【００１０】
以下、この発明の空気調和機を図示の実施の形態により詳細に説明する。
【００１１】
（実施の形態１）
図１はこの発明の実施の一形態の空気調和機の冷媒回路の回路図を示している。この空気調和機は、図１に示すように、圧縮機１と、圧縮機１の吐出側が一端に接続された四路弁２と、四路弁２の他端に一端が接続された室外熱交換器３と、室外熱交換器３の他端に一端が接続された電動膨張弁４と、電動膨張弁４の他端に閉鎖弁１２を介して一端が接続された室内熱交換器５と、室内熱交換器５の他端に閉鎖弁１３，四路弁２を介して一端が接続され、他端が圧縮機１の吸入側に接続されたアキュムレータ６とを備えている。圧縮機１，四路弁２，室外熱交換器３，電動膨張弁４，室内熱交換器５およびアキュムレータ６で冷媒回路を構成している。
【００１２】
また、この空気調和機は、室外熱交換器３近傍に配置された室外ファン７と、室内熱交換器５近傍に配置された室内ファン８と、室内熱交換器５の温度を検出する温度センサ９と、シャッター３０（図３に示す）を駆動するシャッター駆動部３１と、温度センサ９により検出された室内熱交換器５の温度に基づいて、圧縮機１，電動膨張弁４，室外ファン７，室内ファン８，シャッター駆動部３１等を制御する制御装置１１を備えている。
【００１３】
制御装置１１は、マイクロコンピュータと入出力回路などからなり、室内ファン８の回転数を検出する回転数検出部１１ａと、シャッター駆動部３１を制御する制御部の一例としてのシャッター制御部１１ｂとを有する。
【００１４】
圧縮機１，四路弁２，室外熱交換器３，電動膨張弁４，アキュムレータ６，室外ファン７および制御装置１１で室外機１０を構成し、室内熱交換器５，室内ファン８，温度センサ９およびシャッター駆動部３１で室内機２０を構成している。
【００１５】
上記構成の空気調和機において、暖房運転時、四路切換弁２を実線の切換え位置に切り換えて、圧縮機１を起動すると、圧縮機１から吐出された高圧冷媒が四路切換弁２を通って室内熱交換器５に入る。そして、室内熱交換器５で凝縮した冷媒は、電動膨張弁４で減圧された後に室外熱交換器３に入る。室外熱交換器３で蒸発した冷媒が四路切換弁２およびアキュムレータ６を介して圧縮機１の吸入側に戻る。こうして、圧縮機１，室内熱交換器５，電動膨張弁４，室外熱交換器３およびアキュムレータ６で構成された冷媒回路を冷媒が循環して、冷凍サイクルを実行する。そして、室内ファン８により室内熱交換器５を介して室内空気を循環させることにより室内を暖房する。
【００１６】
これに対して、冷房運転時は、四路切換弁２を点線の切換え位置に切り換えて、圧縮機１，室外熱交換器３，電動膨張弁４，室内熱交換器５およびアキュムレータ６の順に冷媒が循環する冷凍サイクルを実行する。
【００１７】
図２は空気調和機の室内機の斜視図を示している。この室内機２０は、図２に示すように、室内の壁面に後面側が取り付けられる略長方形状の底フレーム２１と、底フレーム２１の前面側に取り付けられ、前面に略長方形状の開口部２２ｃ（図３に示す）を有する前面グリル２２と、前面グリル２２の開口部２２ｃ（図３に示す）を覆うように取り付けられた前面パネル２３とを備えている。
【００１８】
前面グリル２２の上部に上側吹出口２２ａを設けると共に、前面グリル２２の下部に下側吹出口２２ｂを設けている。前面グリル２２の上側吹出口２２ａにフラップ２４を設けている。このフラップ２４は、冷房運転および暖房運転時に回動して、上側吹出口２２ａから冷風もしくは，温風を前方かつ斜め上方に吹き出すようにし、停止時は、図２に示すように、上側吹出口２２ａを覆う。
【００１９】
また、図３は空気調和機の室内機の断面図を示しており、図３に示すように、底フレーム２１の略中央にモータ２６を固定している。このモータ２６の軸が接続された室内ファン８を、軸が前後方向になるように底フレーム２１に配置している。室内ファン８は、前面側から吸い込んだ空気を軸に対して半径方向外向に吹き出すターボファンである。また、底フレーム２１に室内ファン８の前面側にベルマウス２７を設けている。そして、ベルマウス４の前面側に室内熱交換器５を配置し、その室内熱交換器５の前面側に前面グリル２２を取り付け、その前面グリル２２の前面側に前面パネル２３を取り付けている。前面グリル２２の開口部２２ｃにフィルタ２５を取り付けている。また、ベルマウス２７の下部かつ室内熱交換器５の下側には、ドレンパン２８を配置している。
【００２０】
また、前面グリル２２の下側の吹き出し通路内に下側吹出口２２ｂを開閉するシャッター３０を配置している。このシャッター３０は、底フレーム２１側に設けられた軸３０ａを中心にシャッター駆動部３１（図１に示す）により回動し、一点鎖線で示すＡが全開状態であり、Ｂが全閉状態である。
【００２１】
次に、図４のフローチャートに従って、空気調和機の制御装置の運転停止時動作を説明する。まず、リモコンなどにより空気調和機の運転停止時の処理がスタートすると、ステップＳ１で吹出口設定が二方吹き制御であるかまたは一方吹き制御であるかを判別して、吹出口設定が一方吹き制御であるときはステップＳ２に進み、吹出口設定が二方吹き制御であるときは二方吹き制御の処理により本体を停止する。ここで、二方吹き制御とは、図２に示す上側吹出口２２ａと下側吹出口２２ｂの両方から風を吹き出す運転制御であり、一方吹き制御とは、図２，図３に示す下側吹出口２２ｂをシャッター３０により閉じて、上側吹出口２２ａの一方からのみの運転制御である。
【００２２】
次に、図５のフローチャートに従って、空気調和機の制御装置の運転停止時動作を説明する。ステップＳ２において、室内ファン８の回転数を検出する回転数検出部１１ａにより検出されたファン回転数がＮ１以上であればステップＳ２に戻り、Ｎ１未満であればステップＳ３においてシャッター制御部１１ｂによりシャッター３０を開けてステップＳ４にて本体を停止する。また、ステップＳ１で吹出口設定が一方吹き制御の場合、ステップＳ５で冷房運転の場合はステップ２にて前記動作を行う。暖房運転の場合、室内熱交換器５の温度を検出する温度センサ９が検出した温度がＴより小さければスッテプ２に移行する。温度センサ９がＴ以上であればステップＳ３においてシャッター制御部１１ｂによりシャッター３０を開けてステップＳ４にて本体を停止する。
【００２３】
これによって、一方吹き運転中にユーザーがリモコンなどにより運転停止したときに、室内ファン８が惰性で回転しているのにシャッター３０を開けて風が出ることを防ぐことにより、ドラフト感を効果的に低減できる。
【００２４】
また、暖房運転時に熱交換器温度が高い状態での停止動作時に、シャッター３０を開けてもドラフト感を感じる事がなく、停止した状態からシャッターが閉まっている時間を短くする事により、異物の入り込みによりＡ側に引っかかる事リスクを低減する事ができる。
【００２５】
また、運転停止時にシャッター３０を開けておくことで、上側吹出口２２ａからの異物などが入り込んだときＡ側に引っかかる事なく、容易に下側吹出口２２ｂから取り出す事ができる。
【産業上の利用可能性】
【００２６】
実施の形態では、室外機と室内機を備えたセパレートタイプの空気調和機について説明したが、複数の吹出口を有するものであれば、他の構成の空気調和機にこの発明を適用することができる。
【図面の簡単な説明】
【００２７】
【図１】本発明の実施の一形態の空気調和機の冷媒回路の回路図
【図２】同空気調和機の室内機の斜視図
【図３】同空気調和機の室内機の断面図
【図４】同空気調和機の制御装置の動作を説明するフローチャート
【図５】空気調和機の制御装置の動作を説明するフローチャート
【符号の説明】
【００２８】
１  圧縮機
２  四路弁
３  室外熱交換器
４  電動膨張弁
５  室内熱交換器
６  アキュムレータ
７  室外ファン
８  室内ファン
９  温度センサ
１０  室外機
１１  制御装置
１１ａ  温度判別部
１１ｂ  シャッター制御部
１２，１３  閉鎖弁
２０  室内機
２１  底フレーム
２２  前面グリル
２２ａ  上側吹出口
２２ｂ  下側吹出口
２２ｃ  開口部
２３  前面パネル
２３ａ  上側吸込口
２３ｂ  下側吸込口
２３ｃ  側方吸込口
２４  フラップ
２５  フィルタ
２６  モータ
２７  ベルマウス
３０  シャッター
３１  シャッター駆動部
【図１】
2008261555.tif 000003
【図２】
2008261555.tif 000004
【図３】
2008261555.tif 000005
【図４】
2008261555.tif 000006
【図５】
2008261555.tif 000007